(57)【要約】【課題】  保温性、ソフトでしかもクッション性に優れているとともに、腰のあるタオル織物を低コストに製造できるようにする。【解決手段】  経糸１ａと緯糸１ｂよりなる織物のベース地１にパイル糸２を絡合した上部タオルＡと、同じく経糸３ａと緯糸３ｂよりなる織物のベース地３にパイル糸４を絡合した下部タオルＢとの複層体とし、かつ、上部タオルＡ、下部タオルＢはそれぞれ上下両面にパイル糸での輪奈２ａ、２ａ’、４ａ、４ａ’を形成したものとし、かつ、上下のタオル間に輪奈が対向する程度の空間αをおいて上部タオル、下部タオルのパイル糸の適所を相手側タオルのベース地に絡合した。【選択図】  図２
2006241603.tif 000002
【特許請求の範囲】
【請求項１】
経糸と緯糸よりなる織物のベース地にパイル糸を絡合した上部タオルと、同じく経糸と緯糸よりなる織物のベース地にパイル糸を絡合した下部タオルとの複層タオル体であって、上下のタオル体にはパイル糸で両面または片面に輪奈を形成して輪奈が少なくとも片面に毛羽立つようにし、適宜の空間をおいて上部タオル、下部タオルのいずれかのパイル糸の輪奈が適宜の空間をおいて相手側タオル体のベース地に絡合してなる複層タオル織物。
【請求項２】
経糸と緯糸よりなる織物のベース地にパイル糸を両面に輪奈を有するように絡合した上部タオルと、同じく経糸と緯糸よりなる織物のベース地にパイル糸を両面に輪奈を有するように絡合した下部タオルとの複層タオル体であって、上下のタオル間に輪奈が対向する程度の空間をおいて上部タオル、下部タオルのパイル糸の適所を相手側タオルのベース地に絡合してなる複層タオル織物。
【請求項３】
経糸と緯糸よりなる織物のベース地にパイル糸を片面に輪奈を有するように絡合した上部タオルと、同じく経糸と緯糸よりなる織物のベース地にパイル糸を絡合した下部タオルとの複層タオル体であって、上下のタオル間に適宜の空間をおいて下部タオルのパイル糸が上部タオルのベース地の経糸または緯糸にも絡合してなる複層タオル織物。
【発明の詳細な説明】
【技術分野】
【０００１】
本発明はタオルケットや敷布等の寝具に好適な複層タオル織物に関する。
【背景技術】
【０００２】
従来のタオル織物は図５に示すように、経糸と緯糸よりなる織物のベース地にパイル糸を絡合して両面に輪奈（ループ状の毛羽立ち）を形成したものとしてある。
【０００３】
ところが寝具等に使用する際の面は上下どちらかの面となり、人体接触面との保温層は片方の面の輪奈の長さ(突出量)分の一層のみとなり、その保温性には限界があり、また、生地の腰の強さも層の一重分であるので必然的に限界がある。
【０００４】
業界ではこれらの欠点をカバーするために、一旦織り上げたタオル生地に化繊綿やウレタン等の異質の中綿状物体を縫製してボリュームを増すことにより欠点をカバーしているのが現状である。
【発明の開示】
【発明が解決しようとする課題】
【０００５】
本発明は保温性、ソフトでしかもクッション性に優れているとともに、腰のあるタオル織物を低コストに製造できるようにした。
【課題を解決するための手段】
【０００６】
前記目的を達成するために、本発明のタオル織物は、経糸と緯糸よりなる織物のベース地にパイル糸を絡合した上部タオルと、同じく経糸と緯糸よりなる織物のベース地にパイル糸を絡合した下部タオルとの複層体とし、かつ、上部タオル、下部タオルはそれぞれ上下両面にパイル糸での輪奈を形成したものとし、かつ、上下のタオル間に輪奈が対向する程度の空間をおいて上部タオル、下部タオルのパイル糸の適所を相手側タオルのベース地に絡合したものとしてある。
【０００７】
また、他の手段としては、ベース地の上面にパイル糸での輪奈を形成した上部タオルと、同じく経糸と緯糸よりなる織物のベース地にパイル糸を絡合した下部タオルとの間に適宜の空間をおいて下部タオルのパイル糸を上部タオルのベース地にも絡合せしめたものとしてある。
【発明の効果】
【０００８】
上述した本発明の複層タオル織物は、片面または両面にパイル糸による輪奈が形成されているので、輪奈のある面はソフトな感触のものとなっており、また、上下部のタオル体の間には断熱層としての空間があるので、保温性に優れたあたたかいものとなっており、かつ上下タオル間の空間には上下タオル体の少なくとも一方のパイル糸の輪奈を介在せしめてあるので、空間と相俟ってクッション性に優れており、しかも上下のタオル体はその少なくとも一方のパイル糸が他方のタオル体のベース地に絡合しているので、上下のタオル体は相対的に横ずれすることが阻止され、腰のある安定性に優れた織物として使用できる。
【０００９】
さらに、厚みやクッション性を出すために、一旦織り上げたタオル生地に化繊綿やウレタン等の異質の中綿状物体を縫製する必要はなく、製造コストの低減を期せる利点がある。
【実施例】
【００１０】
以下本発明を添付図面に示す具体例によって説明する。
【００１１】
図１、２は本発明の第１実施例を示し、符号Ａは上部タオル体、Ｂは下部タオル体を示す。
【００１２】
上部タオル体Ａは経糸１ａと緯糸１ｂとで織ったベース地１に、パイル糸２をベース地の両面にループ状の毛羽立ち、すなわち輪奈２ａが形成されるように絡合せしめてある。
【００１３】
下部タオル体Ｂも経糸３ａと緯糸３ｂとで織ったベース地３に、パイル糸４をベース地の両面に輪奈４ａが形成されるように絡合せしめてある。
【００１４】
しかして上部タオル体Ａと下部タオル体Ｂとは適宜間隔αをあけて二層に重ねられており、しかも各タオル体Ａ、Ｂの相対する側(面)の任意の輪奈２ａ′、４ａ′が相手方タオル体のベース地の経糸または緯糸と絡合しており、上下のタオル体の周辺部は縁布５で覆われて、縫い糸６で縫合されている。
【００１５】
この実施例のものでは表裏両面にパイル糸の毛羽立つ輪奈２ａ、４ａが形成されているので、肌に柔らかいソフトな物となっている。
【００１６】
また、上下のタオル体間には適宜の空間αがあり、しかもその空間には対向面の輪奈があるので、全体としてクッション性に富むものとなっており、しかも空間は断熱層の働きもしているので、タオルケットや敷布として使用した場合における人体の熱が外部にリークするのが極力阻止され、保温性に優れたものとなっている。
【００１７】
さらに上下のタオル体は対向面の所要の輪奈の適宜のものが相手方ベース地に絡合しているので、上下のタオル体の横ずれが阻止され、腰のしっかりとした安定性を有するものとなっている。
【００１８】
図３、４は本発明の第２実施例を示し、符号Ａは上部タオル体、Ｂは下部タオル体を示す。
【００１９】
上部タオル体Ａは経糸１ａと緯糸１ｂとで織ったベース地１に、パイル糸２をベース地の上面(表面)にループ状の毛羽立ち、すなわち輪奈２ａが形成されるように絡合せしめてある。
【００２０】
下部タオル体Ｂも経糸３ａと緯糸３ｂとで織ったベース地３に、パイル糸４を上下のベース地へトラス状に交互ジグザグに絡合せしめて、パイル糸により上下のタオル体間に空間αを形成するようにしてある。
【００２１】
より具体的には、下部タオル体Ｂのパイル糸４を上部タオル体Ａのベース地１の経糸１ａ、下部タオル体Ｂのベース地３の経糸３ａ、以下同様に上部ベース地の経糸１ａ、下部ベース地の経糸３ａへと交互に絡合せしめる。
【００２２】
また、上部タオル体のパイル糸２を経糸及び緯糸へ適宜絡合せしめることにより、花柄模等の各種の絵柄を刺繍状につけて、商品価値を高めることができる。
【００２３】
なお、上下のタオル体の周辺部は縁布５で覆われて、縫い糸６で縫合されている。
【００２４】
この実施例のものでは下面（裏面）は平織状になっているが、上面（表面）には上部パイル糸が毛羽立つ輪奈２ａが形成されているので、肌に柔らかいソフトなタオル織物となっている。
【００２５】
また、上下のタオル体間には下部タオル体のパイル糸４によって空間が形成されており、全体としてクッション性に富むものとなっており、しかも空間は断熱層の働きもしているので、タオルケットや敷布として使用した場合における人体の熱が外部にリークするのが極力阻止され、保温性に優れたものとなっている。
【００２６】
さらに下部タオル体のパイル糸は上部タオル体のベース地に絡合しているので、上下のタオル体の横ずれが阻止され、腰のしっかりとした優れて安定性に富むタオル織物となっている。
【図面の簡単な説明】
【００２７】
【図１】本発明に係る複層タオル織物の第１実施例を示す斜視図。
【図２】本発明に係る複層タオル織物の第１実施例を示す縦断面図。
【図３】本発明に係る複層タオル織物の第２実施例を示す斜視図。
【図４】本発明に係る複層タオル織物の第２実施例を示す縦断面図。
【図５】従来のタオル織物の一例を示す縦断面図。
【符号の説明】
【００２８】
１  ベース地
１ａ  経糸
１ｂ  緯糸
２  パイル糸
２ａ、２ａ′輪奈
３  ベース地
３ａ  経糸
３ｂ  緯糸
４  パイル糸
４ａ、４ａ′輪奈
５  縁布
６  縫い糸
Ａ  上部タオル体
Ｂ  下部タオル体
α  空間
【図１】
2006241603.tif 000003
【図２】
2006241603.tif 000004
【図３】
2006241603.tif 000005
【図４】
2006241603.tif 000006
【図５】
2006241603.tif 000007